(57)【要約】【課題】少ないリーダ数で確実に、施設への出入り（登下校）を判断できるようにした出入り検知システム、出入り検知方法、出入り検知プログラムを提供する。【解決手段】学童１０は、ＲＦＩＤタグ１３と、ＧＰＳ携帯電話端末１２を携帯する。校門４の近傍に、校門４を挟んで外側と内側に、ＲＦＩＤリーダ１１ａ及びＲＦＩＤリーダ１１ｂを配設する。情報管理サーバ１４は、ＲＦＩＤリーダ１１ａから取得される受信情報と、ＲＦＩＤリーダ１１ｂから取得される受信情報との時間差により、学童１０の移動方向を判断して、「登校」、「下校」が判定する。ＲＦＩＤリーダ１１ａ又はＲＦＩＤリーダ１１ｂの一方からしか情報が受信できず、「登校」の状態か「下校」の状態かを特定できない場合には、情報管理サーバ１４は、ＧＰＳサーバ１５に位置情報の取得を要求し、ＧＰＳ携帯電話端末１２で現在地を測位して、学童１０の位置を測位する。【選択図】図１
2008146547.tif 000002
【特許請求の範囲】
【請求項１】
固有の識別情報を無線で送信する無線端末と、測位機能を有する携帯電話端末と、第１の測定領域内の前記無線端末の識別情報を読み取る第１の無線端末リーダと、第２の測定領域内の前記無線端末の識別情報を読み取る第２の無線端末リーダと、被管理者の施設への出入りを管理する情報管理サーバとを有する前記被管理者の前記施設への出入りを管理する出入り検知システムであって、
前記被管理者が前記施設への出入りにおいて通過する領域において、前記施設へ遠い側に前記第１の測定領域が設定され、前記施設から近い側に前記第２の測定領域が設定され、前記第１の測定領域と前記第２の測定領域とが互いに重複することなく設定されており、
前記無線端末及び前記携帯電話端末は、前記被管理者により携帯され、
前記第１の無線端末リーダ及び前記第２の無線端末リーダは、前記無線端末から送信される識別情報を受信すると、前記受信した識別情報を前記情報管理サーバに送信する手段を有し、
前記情報管理サーバは、前記第１の無線端末リーダ及び前記第２の無線端末リーダからの情報を受信すると、前記第１の無線端末リーダ及び前記第２の無線端末リーダからの受信情報により、前記被管理者が施設に入った状態か施設から出た状態かを判定する手段を有し、
前記施設に入った状態か施設から出た状態かの判定は、前記第１の無線端末リーダから取得される受信情報と前記第２の無線端末リーダから取得される受信情報との時間差により前記被管理者の移動方向を判断して判定するものであり、
前記第１の無線端末リーダ及び前記第２の無線端末リーダの双方からの受信情報が得られず、前記第１の無線端末リーダから取得される受信情報と前記第２の無線端末リーダから取得される受信情報との時間差が得られないときには、前記携帯電話端末の測位機能により前記被管理者の位置を測位する
ようにしたことを特徴とする出入り検知システム。
【請求項２】
前記情報管理サーバは、前記第１の無線端末リーダ又は前記第２の無線端末リーダからの受信情報で所定の時間内に連続した受信信号を１行動単位とし、前記１行動単位の最後の受信情報が前記第１の無線端末リーダからの受信情報か前記第２の無線端末リーダからの受信情報かに応じて、前記施設から出た状態か施設に入った状態かを判定するようにしたことを特徴とする請求項１に記載の出入り検知システム。
【請求項３】
前記情報管理サーバは、前記第１の無線端末リーダ又は前記第２の無線端末リーダからの受信情報で所定の時間内に連続した受信信号を１行動単位とし、前記１行動単位の間に前記第１の無線端末リーダ及び前記第２の無線端末リーダの双方からの受信情報が取得できない場合に、前記携帯電話端末の測位機能により前記被管理者の位置を測位するようにしたことを特徴とする請求項１または請求項２に記載の出入り検知システム。
【請求項４】
更に、前記情報管理サーバは、前回の状態を記憶しておくステータス記憶手段を有し、
前記第１の無線端末リーダ又は前記第２の無線端末リーダからの受信情報で所定の時間内に連続した受信信号を１行動単位とし、前記１行動単位の間に前記第１の無線端末リーダ及び前記第２の無線端末リーダの双方からの受信情報が取得できない場合には、前記ステータス記憶手段を参照して前回の状態が施設に入った状態か施設から出た状態であるかを判断し、前回の状態と、前記第１の無線端末リーダ及び前記第２の無線端末リーダのうち無線端末リーダからの受信情報が取得できるか否かの情報とにより、前記施設に入った状態か前記施設から出た状態であるかを特定できるかどうかを判定し、前記施設に入った状態か前記施設から出た状態であるかを特定できないときには、前記測位機能を有する携帯電話端末により前記被管理者の位置を測位するようにしたことを特徴とする請求項１から請求項３に記載の出入り検知システム。
【請求項５】
更に、前記情報管理サーバは、前記被管理者が前記施設から出た状態であると判定すると、所定時間毎に、前記携帯電話端末の測位機能により前記被管理者の位置を測位し、前記被管理者の位置情報を所定の端末に送信するようにしたことを特徴とする請求項１から請求項４に記載の出入り検知システム。
【請求項６】
更に、前記情報管理サーバは、位置情報に基づいて地図情報を取得し、前記被管理者の位置情報とともに前記取得した地図情報を前記所定の端末に送信するようにしたことを特徴とする請求項５に記載の出入り検知システム。
【請求項７】
固有の識別情報を無線で送信する無線端末と、測位機能を有する携帯電話端末と、第１の測定領域内の前記無線端末の識別情報を読み取る第１の無線端末リーダと、第２の測定領域内の前記無線端末の識別情報を読み取る第２の無線端末リーダと、被管理者の施設への出入りを管理する情報管理サーバとを有する前記被管理者の前記施設への出入りを管理するシステムにおける出入り検知方法であって、
前記被管理者が前記施設への出入りにおいて通過する領域において、前記施設へ遠い側に前記第１の測定領域が設定され、前記施設から近い側に前記第２の測定領域が設定され、前記第１の測定領域と前記第２の測定領域とが互いに重複することなく設定されており、
前記無線端末及び前記携帯電話端末は、前記被管理者により携帯され、
前記第１の無線端末リーダ及び前記第２の無線端末リーダは、前記無線端末から送信される識別情報を受信すると、前記受信した識別情報を前記情報管理サーバに送信し、
前記情報管理サーバは、前記第１の無線端末リーダ及び前記第２の無線端末リーダからの情報を受信すると、前記第１の無線端末リーダ及び前記第２の無線端末リーダからの受信情報により、前記被管理者が施設に入った状態か施設から出た状態かを判定し、
前記施設に入った状態か施設から出た状態かの判定は、前記第１の無線端末リーダから取得される受信情報と前記第２の無線端末リーダから取得される受信情報との時間差により前記被管理者の移動方向を判断して判定するものであり、
前記第１の無線端末リーダ及び前記第２の無線端末リーダの双方からの受信情報が得られず、前記第１の無線端末リーダから取得される受信情報と前記第２の無線端末リーダから取得される受信情報との時間差が得られないときには、前記携帯電話端末の測位機能により前記被管理者の位置を測位して、前記施設に入った状態か、前記施設から出た状態かを判定する
ようにしたことを特徴とする出入り検知方法。
【請求項８】
固有の識別情報を無線で送信する無線端末と、測位機能を有する携帯電話端末と、第１の測定領域内の前記無線端末の識別情報を読み取る第１の無線端末リーダと、第２の測定領域内の前記無線端末の識別情報を読み取る第２の無線端末リーダと、被管理者の施設への出入りを管理する情報管理サーバとを有する前記被管理者の前記施設への出入りを管理するシステムにおける出入り検知プログラムであって、
前記被管理者が前記施設への出入りにおいて通過する領域において、前記施設へ遠い側に前記第１の測定領域が設定され、前記施設から近い側に前記第２の測定領域が設定され、前記第１の測定領域と前記第２の測定領域とが互いに重複することなく設定されており、
前記無線端末及び前記携帯電話端末は、前記被管理者により携帯され、
前記第１の無線端末リーダ及び前記第２の無線端末リーダは、前記無線端末から送信される識別情報を受信すると、前記受信した識別情報を前記情報管理サーバに送信しており、
前記第１の無線端末リーダ及び前記第２の無線端末リーダからの情報を受信するステップと、
前記第１の無線端末リーダから取得される受信情報と前記第２の無線端末リーダから取得される受信情報との時間差により前記被管理者の移動方向を判断して判定するステップとを含み、
更に、前記第１の無線端末リーダ及び前記第２の無線端末リーダの双方からの受信情報が得られず、前記第１の無線端末リーダから取得される受信情報と前記第２の無線端末リーダから取得される受信情報との時間差が得られないときには、前記携帯電話端末の測位機能により前記被管理者の位置を測位させるステップとを含む
ようにしたことを特徴とする出入り検知プログラム。
【発明の詳細な説明】
【技術分野】
【０００１】
本発明は、学童の学校への登下校等、施設への人の出入りを管理する出入り検知システム、出入り検知方法、出入り検知プログラムに関する。
【背景技術】
【０００２】
学童の登下校時を狙った犯罪が多発している。このため、学童にＧＰＳ(Global Positioning System)携帯電話を持たせて、学童の位置を検知するサービスが利用されている。従来のこの種のサービスは、保護者等が携帯電話会社に学童の位置を問い合わせると、ＧＰＳ携帯電話で現在地を測位し、その位置を保護者側に知らせるようなものである。
【０００３】
従来のこの種のサービスは、学童の現在地を知らせるというものであり、学童の登下校を知らせるものではない。このため、その学童が学校に何時に登校して、何時に下校したのかを簡単に知ることができなかった。
【０００４】
一方、特許文献１には、屋外の工事作業エリア等の開放された領域で、ＲＦＩＤを使って、人や物の出入りを検知するシステムが記載されている。このようなシステムを利用して、学童の登校や下校を検知することが考えられる。
【特許文献１】特開２００６−１１５１５号公報
【発明の開示】
【発明が解決しようとする課題】
【０００５】
上述のように、携帯電話会社で提供している従来のこの種のサービスは、学童にＧＰＳ携帯電話を持たせ、保護者等が携帯電話会社に学童の位置を問い合わせると、ＧＰＳ携帯電話で現在地を測位し、その位置を保護者側に知らせるようなものである。このようなサービスを利用して学童の登下校を調べる場合、保護者は、学童の登校や下校の時刻を予測し、登校や下校になったであろうという時刻になったら、携帯電話会社に学童の現在地を問い合わせることになる。
【０００６】
しかしながら、学童の登下校の時刻は、毎日同じというわけではない。特に、学校の行事や、放課後の活動等で、下校時刻が異なることが良くある。このため、従来の携帯電話会社のサービスでは、場合によっては、何度もＧＰＳ携帯電話の位置を携帯電話会社へ問い合わせる必要があるという問題がある。
【０００７】
また、上述のように、従来の携帯電話会社で提供しているこの種のサービスでは、その学童が学校に何時に登校して、何時に下校したのかを簡単に知ることはできないという問題がある。更に、学童の位置を問い合わせる毎に、ＧＰＳで位置を測位するため、通信費用が高くなるという問題がある。
【０００８】
また、特許文献１に示されるようなＲＦＩＤを使って人や物の出入りを検知するシステムでは、出入りする人の数が多かったり、歩行スピードが速かったりすると、ＲＦＩＤリーダで読み落としが発生してしまうという問題がある。特に、設置するリーダの数が少ない場合には読み落としが多く発生し、読み落としが発生すると、出入りの方向を正しく検出できないという問題がある。
【０００９】
本発明は、上述の課題を鑑み、少ないリーダ数で確実に、施設への出入り（登下校）を判断できるようにした出入り検知システム、出入り検知方法、出入り検知プログラムを提供することを目的とする。
【課題を解決するための手段】
【００１０】
この発明は上述した課題を解決するためになされたもので、請求項１に記載の発明は、固有の識別情報を無線で送信する無線端末と、測位機能を有する携帯電話端末と、第１の測定領域内の前記無線端末の識別情報を読み取る第１の無線端末リーダと、第２の測定領域内の前記無線端末の識別情報を読み取る第２の無線端末リーダと、被管理者の施設への出入りを管理する情報管理サーバとを有する前記被管理者の前記施設への出入りを管理する出入り検知システムであって、前記被管理者が前記施設への出入りにおいて通過する領域において、前記施設へ遠い側に前記第１の測定領域が設定され、前記施設から近い側に前記第２の測定領域が設定され、前記第１の測定領域と前記第２の測定領域とが互いに重複することなく設定されており、前記無線端末及び前記携帯電話端末は、前記被管理者により携帯され、前記第１の無線端末リーダ及び前記第２の無線端末リーダは、前記無線端末から送信される識別情報を受信すると、前記受信した識別情報を前記情報管理サーバに送信する手段を有し、前記情報管理サーバは、前記第１の無線端末リーダ及び前記第２の無線端末リーダからの情報を受信すると、前記第１の無線端末リーダ及び前記第２の無線端末リーダからの受信情報により、前記被管理者が施設に入った状態か施設から出た状態かを判定する手段を有し、前記施設に入った状態か施設から出た状態かの判定は、前記第１の無線端末リーダから取得される受信情報と前記第２の無線端末リーダから取得される受信情報との時間差により前記被管理者の移動方向を判断して判定するものであり、前記第１の無線端末リーダ及び前記第２の無線端末リーダの双方からの受信情報が得られず、前記第１の無線端末リーダから取得される受信情報と前記第２の無線端末リーダから取得される受信情報との時間差が得られないときには、前記携帯電話端末の測位機能により前記被管理者の位置を測位するようにしたことを特徴とする出入り検知システムである。
【００１１】
請求項２に記載の発明は、前記情報管理サーバは、前記第１の無線端末リーダ又は前記第２の無線端末リーダからの受信情報で所定の時間内に連続した受信信号を１行動単位とし、前記１行動単位の最後の受信情報が前記第１の無線端末リーダからの受信情報か前記第２の無線端末リーダからの受信情報かに応じて、前記施設から出た状態か施設に入った状態かを判定するようにしたことを特徴とする請求項１に記載の出入り検知システムである。
【００１２】
請求項３に記載の発明は、前記情報管理サーバは、前記第１の無線端末リーダ又は前記第２の無線端末リーダからの受信情報で所定の時間内に連続した受信信号を１行動単位とし、前記１行動単位の間に前記第１の無線端末リーダ及び前記第２の無線端末リーダの双方からの受信情報が取得できない場合に、前記携帯電話端末の測位機能により前記被管理者の位置を測位するようにしたことを特徴とする請求項１または請求項２に記載の出入り検知システムである。
【００１３】
請求項４に記載の発明は、更に、前記情報管理サーバは、前回の状態を記憶しておくステータス記憶手段を有し、前記第１の無線端末リーダ又は前記第２の無線端末リーダからの受信情報で所定の時間内に連続した受信信号を１行動単位とし、前記１行動単位の間に前記第１の無線端末リーダ及び前記第２の無線端末リーダの双方からの受信情報が取得できない場合には、前記ステータス記憶手段を参照して前回の状態が施設に入った状態か施設から出た状態であるかを判断し、前回の状態と、前記第１の無線端末リーダ及び前記第２の無線端末リーダのうち無線端末リーダからの受信情報が取得できるか否かの情報とにより、前記施設に入った状態か前記施設から出た状態であるかを特定できるかどうかを判定し、前記施設に入った状態か前記施設から出た状態であるかを特定できないときには、前記測位機能を有する携帯電話端末により前記被管理者の位置を測位するようにしたことを特徴とする請求項１から請求項３に記載の出入り検知システムである。
【００１４】
請求項５に記載の発明は、更に、前記情報管理サーバは、前記被管理者が前記施設から出た状態であると判定すると、所定時間毎に、前記携帯電話端末の測位機能により前記被管理者の位置を測位し、前記被管理者の位置情報を所定の端末に送信するようにしたことを特徴とする請求項１から請求項４に記載の出入り検知システムである。
【００１５】
請求項６に記載の発明は、更に、前記情報管理サーバは、位置情報に基づいて地図情報を取得し、前記被管理者の位置情報とともに前記取得した地図情報を前記所定の端末に送信するようにしたことを特徴とする請求項５に記載の出入り検知システムである。
【００１６】
請求項７に記載の発明は、固有の識別情報を無線で送信する無線端末と、測位機能を有する携帯電話端末と、第１の測定領域内の前記無線端末の識別情報を読み取る第１の無線端末リーダと、第２の測定領域内の前記無線端末の識別情報を読み取る第２の無線端末リーダと、被管理者の施設への出入りを管理する情報管理サーバとを有する前記被管理者の前記施設への出入りを管理するシステムにおける出入り検知方法であって、前記被管理者が前記施設への出入りにおいて通過する領域において、前記施設へ遠い側に前記第１の測定領域が設定され、前記施設から近い側に前記第２の測定領域が設定され、前記第１の測定領域と前記第２の測定領域とが互いに重複することなく設定されており、前記無線端末及び前記携帯電話端末は、前記被管理者により携帯され、前記第１の無線端末リーダ及び前記第２の無線端末リーダは、前記無線端末から送信される識別情報を受信すると、前記受信した識別情報を前記情報管理サーバに送信し、前記情報管理サーバは、前記第１の無線端末リーダ及び前記第２の無線端末リーダからの情報を受信すると、前記第１の無線端末リーダ及び前記第２の無線端末リーダからの受信情報により、前記被管理者が施設に入った状態か施設から出た状態かを判定し、前記施設に入った状態か施設から出た状態かの判定は、前記第１の無線端末リーダから取得される受信情報と前記第２の無線端末リーダから取得される受信情報との時間差により前記被管理者の移動方向を判断して判定するものであり、前記第１の無線端末リーダ及び前記第２の無線端末リーダの双方からの受信情報が得られず、前記第１の無線端末リーダから取得される受信情報と前記第２の無線端末リーダから取得される受信情報との時間差が得られないときには、前記携帯電話端末の測位機能により前記被管理者の位置を測位して、前記施設に入った状態か、前記施設から出た状態かを判定するようにしたことを特徴とする出入り検知方法である。
【００１７】
請求項８に記載の発明は、固有の識別情報を無線で送信する無線端末と、測位機能を有する携帯電話端末と、第１の測定領域内の前記無線端末の識別情報を読み取る第１の無線端末リーダと、第２の測定領域内の前記無線端末の識別情報を読み取る第２の無線端末リーダと、被管理者の施設への出入りを管理する情報管理サーバとを有する前記被管理者の前記施設への出入りを管理するシステムにおける出入り検知プログラムであって、前記被管理者が前記施設への出入りにおいて通過する領域において、前記施設へ遠い側に前記第１の測定領域が設定され、前記施設から近い側に前記第２の測定領域が設定され、前記第１の測定領域と前記第２の測定領域とが互いに重複することなく設定されており、前記無線端末及び前記携帯電話端末は、前記被管理者により携帯され、前記第１の無線端末リーダ及び前記第２の無線端末リーダは、前記無線端末から送信される識別情報を受信すると、前記受信した識別情報を前記情報管理サーバに送信しており、前記第１の無線端末リーダ及び前記第２の無線端末リーダからの情報を受信するステップと、前記第１の無線端末リーダから取得される受信情報と前記第２の無線端末リーダから取得される受信情報との時間差により前記被管理者の移動方向を判断して判定するステップとを含み、更に、前記第１の無線端末リーダ及び前記第２の無線端末リーダの双方から受信情報が得られず、前記第１の無線端末リーダから取得される受信情報と前記第２の無線端末リーダから取得される受信情報との時間差が得られないときには、前記携帯電話端末の測位機能により前記被管理者の位置を測位させるステップとを含むようにしたことを特徴とする出入り検知プログラムである。
【発明の効果】
【００１８】
本発明によれば、被管理者は測位機能を有する携帯電話端末及び無線端末の双方を携帯し、施設の門を挟んで外側に第１の無線端末リーダを配置し、内側に第２の無線端末リーダを配置し、この第１の無線端末リーダと第２の無線端末リーダとで、被管理者の携帯する無線端末を読み取るようにしている。このように、施設の門を挟んで外側に配置された第１の無線端末リーダと内側に配置された第２の無線端末リーダとの、少ないリーダで、被管理者が施設に入った状態か施設から出た状態かを確実に検出できる。
また、第１の無線端末リーダ又は第２の無線端末リーダで読み落としが発生した場合には、測位機能を有する携帯電話端末を使うことで、被管理者の出入りまたは位置を確実に検出できる。
また、第１の無線端末リーダ又は第２の無線端末リーダで読み落としが発生した場合のみ、測位機能を有する携帯電話端末を使っているので、通信費の増大が抑えられる。
【発明を実施するための最良の形態】
【００１９】
以下、本発明の実施の形態について図面を参照しながら説明する。
（第１の実施形態）
図１は、本発明の実施形態のシステムの概要を示すものである。図１において、学校１の敷地３は塀２で囲まれており、学校１の敷地３内には、校門４から出入りできるようになっている。敷地３内に、校舎５が建てられている。学校１に通う学童１０は、ＲＦＩＤ（Radio Frequency IDentification）タグ１３と、ＧＰＳ（Global Positioning System）携帯電話端末１２を携帯しており、ＲＦＩＤタグ１３及びＧＰＳ携帯電話端末１２は、学童１０の行動とともに移動する。ＲＦＩＤタグ１３は、各端末毎に固有の端末ＩＤ（識別番号）を無線で通知する機能を持つアクティブ型のＩＣタグである。ＲＦＩＤタグ１３は、学童１０が携帯する他、学童１０の衣服やカバン等に貼り付けて使用することができる。
【００２０】
図２は、ＲＦＩＤタグ１３の一例である。図２に示すように、ＲＦＩＤタグ１３は、ＲＦ送信部２１と、制御部２２と、端末ＩＤ記憶部２３とからなる。端末ＩＤ記憶部２３には、端末毎に固有の端末ＩＤが記憶されている。制御部２２は、端末ＩＤ記憶部２３から端末ＩＤを読み出し、ＲＦ送信部２１から無線で送信する。送信された端末ＩＤの情報は、後述のＲＦＩＤリーダ１１ａ及び１１ｂで受信される。
【００２１】
なお、この例では、無線端末の通信方法として、ＲＦＩＤを用いているが、ＩｒＤＡ（InfraRed Data Association）のような赤外線通信や、Ｂｌｕｅｔｏｏｔｈ、ＺｉｇＢｅｅ、ＵＷＢ等の近距離無線技術を無線端末の通信方法として用いても良い。
【００２２】
図１において、ＧＰＳ携帯電話端末１２は、学童１０が登下校時に持ち歩くＧＰＳ機能付きの携帯電話端末である。このＧＰＳ携帯電話端末１２は、現在地を測位して、ＧＰＳサーバ１５に通知する機能を有する。ＧＰＳは、地球上を周回する複数の衛星からの情報により、測位を行うものである。ＧＰＳでは、位置情報として、緯度、経度の情報が求められる。ＧＰＳ携帯電話端末１２の測位情報の処理は、ＧＰＳサーバ１５で処理される。
【００２３】
ＲＦＩＤリーダ１１ａは、学校１の校門４の近傍であって校門４を挟んだ外側に配設され、ＲＦＩＤリーダ１１ｂは、校門４を挟んで内側に配設される。
ＲＦＩＤリーダ１１ａは測定範囲Ａ１を有し、ＲＦＩＤリーダ１１ｂは測定範囲Ａ２を有している。このＲＦＩＤリーダ１１ａとＲＦＩＤリーダ１１ｂとは、それぞれの測定範囲Ａ１と測定範囲Ａ２とが互いに重複がないように、設置されている。
【００２４】
ＲＦＩＤリーダ１１ａ及び１１ｂは、学童１０が通過すると、その学童１０が携帯しているＲＦＩＤタグ１３からの無線信号を受信して、その端末ＩＤを読み取る。ＲＦＩＤリーダ１１ａ及び１１ｂとしては、指向性を有するアンテナのものが用いられており、ＲＦＩＤリーダ１１ａは、範囲Ａ１を通過するＲＦＩＤタグ１３からの無線信号を受信し、ＲＦＩＤリーダ１１ｂは、範囲Ａ２を通過するＲＦＩＤタグ１３からの無線信号を受信する。
【００２５】
ＲＦＩＤリーダ１１ａ及び１１ｂは、ネットワーク２０を介して、情報管理サーバ１４に接続されている。ネットワーク２０は、固定電話網、携帯電話網、インターネット、ＬＡＮ(Local Area Network)等の通信ネットワークである。
【００２６】
図３は、ＲＦＩＤリーダ１１ａ及び１１ｂの一例である。図３に示すように、ＲＦＩＤリーダ１１ａ及び１１ｂは、指向性アンテナ３１と、ＲＦ受信部３２と、制御部３３と、時刻発生部３４と、リーダＩＤ記憶部３５と、情報通信部３６とからなる。リーダＩＤ記憶部３５には、リーダ固有のリーダＩＤが記憶されている。情報通信部３６は、ネットワーク２０を介して、情報管理サーバ１４との通信を行っている。
【００２７】
ＲＦＩＤリーダ１１ａ及び１１ｂの受信範囲をＲＦＩＤタグ１３が通過すると、ＲＦＩＤタグ１３からの無線信号が指向性アンテナ３１で受信され、ＲＦ受信部３２を介して、制御部３３に送られる。
制御部３３は、ＲＦＩＤタグ１３からの受信信号から、端末ＩＤ情報を読み取る。次に、制御部３３は、時刻発生部３４からの受信時刻と、リーダＩＤ記憶部３５のリーダＩＤとともに、この受信した端末ＩＤの情報を、情報通信部３６を介して情報管理サーバ１４へ送信する。
【００２８】
なお、ここでは、ＲＦＩＤリーダ１１ａ及び１１ｂとしては、指向性を有するアンテナを用いているが、一方のＲＦＩＤリーダ１１ａが校門４の外側のＲＦＩＤタグ１３からの無線信号を受信し、他方のＲＦＩＤリーダ１１ｂが校門４の内側のＲＦＩＤタグ１３からの無線信号を受信する構成とできれば、指向性を有するアンテナに限られるものではなく、他のアンテナを用いることも可能である。
【００２９】
なお、リーダＩＤは、情報管理サーバ１４でＲＦＩＤリーダ１１ａ及び１１ｂを特定するために使用される。情報管理サーバ１４は、リーダＩＤでＲＦＩＤリーダ１１ａ及び１１ｂを特定する代わりに、ＩＰアドレスやポート番号でＲＦＩＤリーダを特定するようにしても良い。
【００３０】
図１において、保護者パソコン１６は、保護者が保有している通信端末である。保護者パソコン１６は、ネットワーク２０との接続機能を有している。この保護者パソコン１６は、保護者が学童の登下校メールを受信したり、情報管理サーバ１４へアクセスして学童の現在位置を確認したりするときに使用される。
【００３１】
保護者携帯電話１７は、保護者が保有している携帯電話端末であり、通話機能を有するとともに、ネットワーク２０との接続機能を持つ。この保護者携帯電話１７は、保護者が学童の登下校メールを受信したり、情報管理サーバ１４へアクセスして学童の現在位置を確認したりするときに使用される。
【００３２】
図１において、情報管理サーバ１４は、生徒の登校下校等を管理するサーバである。情報管理サーバ１４は、図４に示すように、リーダ通信部４１と、ＧＰＳ通信部４２と、個人情報データベース４３と、ログ記憶部４４と、ステータス記憶部４５と、制御部４６とを有している。更に、情報管理サーバ１４は、メールサーバ４７と、地図サーバ４８と、ウェブサーバ４９とを含んでいる。
【００３３】
個人情報データベース４３には、図５に示すように、端末ＩＤと、学童の保有しているＧＰＳ携帯電話端末１２の携帯電話番号と、学童の氏名と、保護者の連絡先（メールアドレス）とが関連付けて記憶されている。
【００３４】
ログ記憶部４４には、図６に示すように、ＲＦＩＤリーダ１１ａ、１１ｂから送られてきた端末ＩＤと、リーダＩＤと、受信時刻とが順次登録される。
【００３５】
制御部４６は、ＲＦＩＤリーダ１１ａ及び１１ｂから送信されログ記憶部４４に記憶された情報を基に、「登校」の状態か、「下校」の状態かを判断する。ステータス記憶部４５には、図７に示すように、端末ＩＤと、その学童の氏名と、「登校」状態であったか「下校」状態であったかを示す状態と、登校又は下校の時刻とが関連付けて記憶される。
なお、ステータス記憶部４５に記憶されている、ある端末ＩＤのユーザについて、登校又は下校の時刻が最新の状態の情報が、ある端末ＩＤのユーザの「前回の状態」の情報である。
【００３６】
ＧＰＳサーバ１５は、ＧＰＳ携帯電話端末１２からの位置情報を取得し、情報管理サーバ１４からの指示により、取得した位置情報を、情報管理サーバ１４へ通知する機能を持つ。
【００３７】
次に、本発明の実施形態のシステムの動作概要を説明する。
本発明の第１実施形態では、図１に示すように、学校１の校門４を挟んで、校内と校外に、それぞれ、ＲＦＩＤリーダ１１ａ及び１１ｂが配設されている。そして、学童１０はＲＦＩＤタグ１３とＧＰＳ携帯電話端末１２を携帯している。
【００３８】
学童１０が校門４の付近を歩くと、ＲＦＩＤリーダ１１ａ及び１１ｂで、ＲＦＩＤタグ１３が読み取られ、このＲＦＩＤリーダ１１ａ及び１１ｂの情報が情報管理サーバ１４に送られる。そして、情報管理サーバ１４は、ＲＦＩＤリーダ１１ａから取得される受信情報と、ＲＦＩＤリーダ１１ｂから取得される受信情報との時間差により、学童１０の移動方向を判断して、「登校」、「下校」を判定する。
【００３９】
つまり、通常、学童１０が学校１に登校する場合、校外のＲＦＩＤリーダ１１ａの測定範囲Ａ１を通過し、校門４を通過し、校内のＲＦＩＤリーダ１１ｂの測定範囲Ａ２を通過して、敷地３内に入る。したがって、校外のＲＦＩＤリーダ１１ａでＲＦＩＤタグ１３が検出された後に、校内のＲＦＩＤリーダ１１ｂでＲＦＩＤタグ１３が検出されたら、校外から校内に向かって学童１０が歩いて校門４を通過していることになり、「登校」と判断できる。
【００４０】
また、学童１０が学校１から下校する場合、校内のＲＦＩＤリーダ１１ｂの測定範囲Ａ２を通過し、校門４から学校の外に出て、校外のＲＦＩＤリーダ１１ａの測定範囲Ａ１を通過する。したがって、校内のＲＦＩＤリーダ１１ｂでＲＦＩＤタグ１３が検出された後に、校外のＲＦＩＤリーダ１１ａでＲＦＩＤタグ１３が検出されたら、校内から校外に向かって学童１０が歩いて校門を通過していることになり、「下校」と判断できる。
【００４１】
なお、実際には、学童１０の行動パターンは複雑である。したがって、学童１０の行動パターンを考慮して、登校、下校を判断する必要がある。また、ＲＦＩＤリーダ１１ａ、１１ｂでの読み落としが発生する場合がある。このため、読み落としを考慮して、登校、下校を判断する必要がある。ＲＦＩＤリーダ１１ａ、１１ｂでの読み落としが発生した場合には、ＲＦＩＤリーダ１１ａ及び１１ｂからの情報だけでは、学童１０の移動方向が判断できず、登校、下校が特定できない。この場合には、ステータス記憶部４５に記憶されている前回の状態（「登校」か「下校」か）を参照するとともに、ＧＰＳ通信部４２により、その学童の位置を測位して、「登校」、「下校」を判断する。このことについては、後に詳述する。
【００４２】
そして、この「登校」、「下校」の情報が情報管理サーバ１４から、保護者の保護者携帯電話１７や保護者パソコン１６にメールで送られる。これにより、保護者は、その学童が学校に何時に登校して、何時に下校したのかを簡単に知ることができる。
【００４３】
図８及び図９は、本発明の第１の実施形態の全体処理の概要を示すシーケンス図である。図８及び図９に示すように、ＲＦＩＤリーダ１１ａ及び１１ｂは、それぞれ、ＲＦＩＤタグ１３を読み取ると、読み取った端末ＩＤと、自身のリーダＩＤと、受信時刻とを情報管理サーバ１４に送信する。
【００４４】
情報管理サーバ１４は、端末ＩＤと時刻とリーダＩＤとの情報をＲＦＩＤリーダ１１ａ及び１１ｂから受信すると、この受信した情報から、「登校」の状態か「下校」の状態かを判定する。そして、保護者の保護者パソコン１６や保護者携帯電話１７に向けて、その学童の登校時刻や下校時刻を示す登下校メールを送信する。
【００４５】
ここで、情報管理サーバ１４は、ＲＦＩＤリーダ１１ａ又はＲＦＩＤリーダ１１ｂの一方からしか情報が受信できず、「登校」の状態か「下校」の状態かを特定できない場合がある。どのような場合に「登校」の状態か「下校」の状態かを特定できないかについては、後に詳述する。そして、「登校」の状態か「下校」の状態かを特定できない場合には、図９に示すように、情報管理サーバ１４はＧＰＳサーバ１５にＧＰＳ携帯電話端末１２の位置情報の取得を要求する。
ＧＰＳサーバ１５は、該当するＧＰＳ携帯電話端末１２に測位要求を送信し、ＧＰＳ携帯電話端末１２は現在地を測位し、測位した位置情報をＧＰＳサーバ１５に送る。ＧＰＳサーバ１５は、取得した位置情報を情報管理サーバ１４へ送信する。
【００４６】
情報管理サーバ１４は、ＲＦＩＤリーダ１１ａ及び１１ｂからの情報と、前回の状態と、ＧＰＳサーバ１５から取得した位置情報により、「登校」の状態か「下校」の状態かを判定する。そして、保護者の保護者パソコン１６や保護者携帯電話１７に向けて、その学童の登校時刻や下校時刻を示す登下校メールを送信する。
【００４７】
以上説明したように、本発明の実施形態では、情報管理サーバ１４で、「登校」、「下校」の状態が判断され、この「登校」、「下校」の情報が情報管理サーバ１４から、保護者の保護者携帯電話１７や保護者パソコン１６にメールで送られる。これにより、保護者は、その学童が学校に何時に登校して、何時に下校したのかを簡単に知ることができる。
【００４８】
次に、本発明の実施形態における登校、下校の判断について詳述する。まず、ＲＦＩＤリーダ１１ａ及び１１ｂでの読み落としがない場合について説明する。
前述したように、通常、ＲＦＩＤリーダ１１ａでＲＦＩＤタグ１３が検出された後に、ＲＦＩＤリーダ１１ｂでＲＦＩＤタグ１３が検出されたら、校外から校内に向かって学童１０が歩いていることになり、「登校」と判断できる。また、ＲＦＩＤリーダ１１ｂでＲＦＩＤタグ１３が検出された後に、ＲＦＩＤリーダ１１ａでＲＦＩＤタグ１３が検出されたら、校内から校外に向かって学童１０が歩いていることになり、「下校」と判断できる。
【００４９】
ここで、学童１０の行動パターンは複雑であり、校門４を通過してから反対方向に引き返して、また、戻ったりする。このため、学童１０の行動パターンを考慮した「登校」、「下校」の判断が必要になる。このことについて説明する。
【００５０】
図１０は、学童１０が登校時に、校内に一度入った後に、校外に引き返し、再び、校内に入ったような行動パターンをとったときの様子を示すものである。この場合、ＲＦＩＤリーダ１１ａでＲＦＩＤタグ１３が検出された後に、ＲＦＩＤリーダ１１ｂでＲＦＩＤタグ１３が検出され、再び、ＲＦＩＤリーダ１１ａでＲＦＩＤタグ１３が検出された後に、ＲＦＩＤリーダ１１ｂでＲＦＩＤタグ１３が検出されることになる。
【００５１】
このように、学童１０がどのような行動パターンを取ったとしても、ＲＦＩＤリーダ１１ａ及び１１ｂでの読み落としがない場合には、最後に校内のＲＦＩＤリーダ１１ｂでＲＦＩＤタグ１３を検出した場合には、学童１０の登校として検出することが可能である。
【００５２】
一方、図１１は、学童１０が下校時に、校外に一度出た後に、校内に引き返し、再び、校外に出たような行動パターンをとったときの様子を示すものである。この場合、ＲＦＩＤリーダ１１ｂでＲＦＩＤタグ１３が検出された後に、ＲＦＩＤリーダ１１ａでＲＦＩＤタグ１３が検出され、再び、ＲＦＩＤリーダ１１ｂでＲＦＩＤタグ１３が検出された後に、ＲＦＩＤリーダ１１ａでＲＦＩＤタグ１３が検出されることになる。
【００５３】
このように、学童１０がどのような行動パターンを取ったとしても、ＲＦＩＤリーダ１１ａ及び１１ｂでの読み落としがない場合には、最後に校内のＲＦＩＤリーダ１１ａで、ＲＦＩＤタグ１３を検出した場合には、学童１０の下校として検出することが可能である。
【００５４】
上述のように、ＲＦＩＤリーダ１１ａ及び１１ｂでの読み落としがないと仮定すると、ＲＦＩＤリーダ１１ａ及び１１ｂの検出出力により、「登校」、「下校」が判断できる。すなわち、校外のＲＦＩＤリーダ１１ａと校内のＲＦＩＤリーダ１１ｂとの双方でＲＦＩＤタグが検出された場合、１行動単位のなかで、最後に検出するＲＦＩＤリーダが校外の場合には「下校」であり、１行動単位のなかで、最後に検出するリーダが校内の場合には「登校」である。
【００５５】
ところが、実際には、ＲＦＩＤリーダ１１ａ及び１１ｂでの読み落としが発生すると考えられる。例えば、ＲＦＩＤリーダ１１ａ及び１１ｂの測定範囲内にタグの数が多い場合や、学童１０の移動速度が速い場合など、ＲＦＩＤリーダ１１ａ及び１１ｂでの読み落としが発生し、双方からの検出情報が得られない可能性がある。
そこで、本発明の実施形態では、ＲＦＩＤリーダ１１ａ、１１ｂ双方からの検出情報が得られない場合には、ステータス記憶部４５に記憶されている前回の状態を参照するとともに、ＧＰＳ通信部４２により、その学童の位置を測位して、「登校」、「下校」を判断するようにしている。
【００５６】
ここで、学童１０の移動で、図１２に示すように、ＲＦＩＤリーダ１１ａ、１１ｂからの出力は断続的である。
そこで、あるタグＩＤについてのＲＦＩＤリーダ１１ａまたは１１ｂからの出力から、予め定められたｘ秒間、同一のタグＩＤについてのＲＦＩＤリーダ１１ａまたは１１ｂからの出力がなかった場合に、その連続した出力を１行動単位と称する。
逆に、ｘ秒以内にＲＦＩＤリーダ１１ａまたは１１ｂからの出力が検出された場合には、その連続する出力が全て１行動単位となる。
このｘ秒は、任意に設定可能であるが、例えば、学童１０がＲＦＩＤリーダ１１ａの測定範囲Ａ１とＲＦＩＤリーダ１１ｂの測定範囲Ａ２とを通過する時間、または、その時間の数倍程度の時間として設定する。
【００５７】
例えば、図１２では、ＲＦＩＤリーダ１１ａまたは１１ｂからの連続する出力Ｐ１、Ｐ２、Ｐ３と出力Ｑ１、Ｑ２、Ｑ３、Ｑ４とがある。
ここで、出力Ｐ１とＰ２、出力Ｐ２とＰ３とのそれぞれの時間間隔はｘ秒以内であるため、Ｐ１、Ｐ２、Ｐ３は１行動単位である。
Ｐ３とＱ１との時間間隔はｘ秒以上であるため、Ｐ３とＱ１とは１行動単位ではない。
ここで、出力Ｑ１とＱ２、出力Ｑ２とＱ３、出力Ｑ３とＱ４とのそれぞれの時間間隔はｘ秒以内であるため、Ｑ１、Ｑ２、Ｑ３、Ｑ４は１行動単位である。
【００５８】
次に、図１３を用いて、学童が登校する場合に、読み落とし等により、ＲＦＩＤリーダ１１ａ、１１ｂ双方からの検出情報が得られない場合について説明する。
【００５９】
図１３（Ａ）は、登校時（前回の状態は「下校」である）に、校外のＲＦＩＤリーダ１１ａでの読み落としが発生している場合を示している。この場合、校内のＲＦＩＤリーダ１１ｂでのみ、ＲＦＩＤタグ１３が検出できることになる。ここで、前回の状態が下校であり、校内のＲＦＩＤリーダ１１ｂでＲＦＩＤタグ１３が検出されていることから、校内に移動したと判断することが可能である。
【００６０】
よって、前回の行動が「下校」で、校内のＲＦＩＤリーダ１１ｂのみ検出された場合は、学童１０は登校により校門４を通過しており、何らかの理由で校外のＲＦＩＤリーダ１１ａで読み落としたと考え、当該学童は「登校」であると判断できる。
【００６１】
これに対して、図１３（Ｂ）は、登校時（前回の状態は「下校」である）に、校内のＲＦＩＤリーダ１１ｂでの読み落としが発生している場合を示している。この場合、校外のＲＦＩＤリーダ１１ａでのみ、ＲＦＩＤタグが検出できることになる。この場合、前回の状態が「下校」であるから、図１３（Ｂ）に示すように、学校の外から校内に入ったと考えられるが、同時に、図１３（Ｃ）に示すように、校外のＲＦＩＤリーダ１１ａでのみ検出し、その後学校から離れたとも考えられる。
【００６２】
このように、前回の行動が「下校」で、校外のＲＦＩＤリーダ１１ａのみ検出している場合、２通りの可能性があり、登校か下校かの判定ができない。この場合には、ＧＰＳ携帯電話端末１２のＧＰＳ機能を使って学童１０の位置を測位し、この測位情報から、「校内」、「校外」を判断する。
【００６３】
図１４（Ａ）は、下校時（前回の状態は「登校」である）に、校内のＲＦＩＤリーダ１１ｂでの読み落としが発生している場合を示している。この場合、校外のＲＦＩＤリーダ１１ａでのみ、ＲＦＩＤタグが検出できることになる。ここで、前回の状態は「登校」であり、校外のＲＦＩＤリーダ１１ａでＲＦＩＤが検出されていることから、校外に移動したと判断することが可能である。
【００６４】
よって、前回の行動が「登校」で、校外のＲＦＩＤリーダ１１ａのみ検出された場合は、学童１０は下校により校門４を通過しており、何らかの理由で校内のＲＦＩＤリーダ１１ｂで読み落としたと考え、当該学童は「下校」であると判断できる。
【００６５】
これに対して、図１４（Ｂ）は、下校時（前回の状態は「登校」である）に、校外のＲＦＩＤリーダ１１ａでの読み落としが発生している場合を示している。この場合、校内のＲＦＩＤリーダ１１ｂでのみ、ＲＦＩＤタグが検出できることになる。この場合、前回の状態が「登校」であるから、図１４（Ｂ）に示すように、学校の中から校外に出たと考えられるが、同時に、図１４（Ｃ）に示すように、校内のＲＦＩＤリーダ１１ｂでのみ検出し、その後校内に戻ったとも考えられる。
【００６６】
このように、直前の行動が「登校」で、校内のＲＦＩＤリーダ１１ｂのみ検出している場合、２通りの可能性があり、登校か下校かの判定ができない。この場合には、ＧＰＳ携帯電話端末１２のＧＰＳ機能を使って学童１０の位置を測位し、この測位情報から、「校内」、「校外」を判断する。
【００６７】
以上の結果から、学童の行動パターン及びＲＦＩＤリーダ１１ａ及び１１ｂでの読み落としを考慮して登校、下校を判断すると、以下のようになる。
【００６８】
（ａ）校外のＲＦＩＤリーダ１１ａと校内のＲＦＩＤリーダ１１ｂとの双方でＲＦＩＤタグが検出された場合、学童の１行動単位のなかで、最後に検出するＲＦＩＤリーダが校外の場合、当該学童は「下校」である。
【００６９】
（ｂ）校外のＲＦＩＤリーダ１１ａと校内のＲＦＩＤリーダ１１ｂとの双方でＲＦＩＤタグが検出された場合、学童の１行動単位のなかで、最後に検出するＲＦＩＤリーダが校内の場合、当該学童は「登校」である。
【００７０】
（ｃ）校内のＲＦＩＤリーダ１１ｂのみＲＦＩＤタグが検出された場合であって、直前の行動が「下校」なら、何らかの理由で校外のＲＦＩＤリーダ１１ａで読み落としたと考え、当該学童は「登校」である。
【００７１】
（ｄ）校外のＲＦＩＤリーダ１１ａのみＲＦＩＤタグが検出された場合であって、直前の行動が「下校」なら、２通りの可能性があり、当該学童は「登校」か「下校」か判断できないので、ＧＰＳ携帯電話端末１２での測位情報を用いる。
【００７２】
（ｅ）校外のＲＦＩＤリーダ１１ａのみＲＦＩＤタグが検出された場合であって、直前の行動が「登校」なら、何らかの理由で校内のＲＦＩＤリーダ１１ｂで読み落としたと考え、当該学童は「下校」であると判断する。
【００７３】
（ｆ）校内のＲＦＩＤリーダ１１ｂのみＲＦＩＤタグが検出している場合であって、直前の行動が「登校」なら、２通りの可能性があり、当該学童は「登校」か「下校」か判断できないので、ＧＰＳ携帯電話端末１２での測位情報を用いる。
【００７４】
このように、上記（ｄ）、（ｆ）の場合は、ＧＰＳ携帯電話端末１２により得られる位置情報より、「校内」、「校外」を判断して登下校を判定する。このとき、情報管理サーバ１４では、校内と判断する円エリアの情報（中心点の緯度／経度、円周上の１点の緯度／経度）をあらかじめ保持し、ＧＰＳサーバ１５より取得するＧＰＳ携帯電話端末１２の位置情報（緯度／経度）がエリア内であれば校内＝登校、エリア外であれば校外＝下校と判定する。
【００７５】
図１５は、このときの計算方法の概要を示すものである。
中心点の緯度をＮ０、中心点の経度をＥ０、円周上の１点の緯度をＮ１、円周上の１点の経度をＥ１、ＧＰＳ携帯電話の緯度をＮ２、ＧＰＳ携帯電話の経度をＥ２とする。
ここで、（Ｎ０−Ｎ１）２＋（Ｅ０−Ｅ１）２≧（Ｎ０−Ｎ２）２＋（Ｅ０−Ｅ２）２を満たす場合には、校内であると判断する。
一方、（Ｎ０−Ｎ１）２＋（Ｅ０−Ｅ１）２＜（Ｎ０−Ｎ２）２＋（Ｅ０−Ｅ２）２を満たす場合には、校外であると判断する。
【００７６】
なお、ＧＰＳ携帯電話端末１２の位置情報要求に対して何らかのエラーをＧＰＳサーバ１５より受信した場合、位置情報取得の再要求を行わず、当該行動単位でＲＦＩＤタグ１３を検出しているＲＦＩＤリーダ１１ａ又は１１ｂにより登下校を判断する。
また、位置検索結果通知待ち中に、当該ＲＦＩＤタグ１３の次行動を検出したＲＦＩＤリーダ１１ａ又は１１ｂの情報が通知された場合は、応答待ち中の位置情報取得処理を中止し、当該行動単位を検出しているＲＦＩＤリーダ１１ａ又は１１ｂにより登下校を判断する。
【００７７】
図１６は、本発明の第１実施形態における情報管理サーバ１４の処理を示すフローチャートである。図１６において、ＲＦＩＤタグ１３とＧＰＳ携帯電話端末１２を携帯した学童１０がＲＦＩＤリーダ１１ａ又は１１ｂを通過すると、ＲＦＩＤリーダ１１ａ又は１１ｂから、端末ＩＤと、リーダＩＤと、通過時刻とが送信される。このＲＦＩＤリーダ１１ａ又は１１ｂからの情報を受信する（ステップＳ１）。
【００７８】
ＲＦＩＤリーダ１１ａ又は１１ｂから受信した情報から、端末ＩＤと、通過時刻と、リーダＩＤとを取得し、これをログ記憶部４４に記録する（ステップＳ２）。
該当する端末ＩＤからの信号がｘ秒間未検出かどうかを判断し、ｘ秒間未検出でなら、ステップＳ１にリターンする（ステップＳ３）。
ステップＳ１〜Ｓ３により、ｘ秒間以内において連続して発生したＲＦＩＤリーダ１１ａ又は１１ｂからの情報が受信される。ｘ秒間において連続して発生したＲＦＩＤリーダ１１ａ又は１１ｂからの情報は、１行動単位内での処理とされる。
【００７９】
そして、１行動単位内で、ＲＦＩＤリーダ１１ａの検出出力とＲＦＩＤリーダ１１ｂの検出出力との双方からＲＦＩＤタグの検出出力が得られるかどうかを判断する（ステップＳ４）。ＲＦＩＤリーダ１１ａの検出出力とＲＦＩＤリーダ１１ｂの検出出力との双方からＲＦＩＤタグの検出出力が得られている場合には、ＲＦＩＤリーダ１１ａ又は１１ｂでの読み落としは発生していないと判断できる。
【００８０】
１行動単位内で、ＲＦＩＤリーダ１１ａの検出出力とＲＦＩＤリーダ１１ｂの検出出力との双方からＲＦＩＤタグの検出出力が得られると判断されたら、１行動単位内での最後に検出したＲＦＩＤリーダが校外のＲＦＩＤリーダ１１ａであるか、校内のＲＦＩＤリーダ１１ｂであるかを判断する（ステップＳ５）。
【００８１】
１行動単位内での最後に検出したＲＦＩＤリーダが校内のＲＦＩＤリーダ１１ｂであれば、「登校」と判断し、該当端末ＩＤのステータス記憶部４５の状態として「登校」を登録する（ステップＳ６）。そして、個人情報データベース４３を参照して、該当する端末ＩＤに対応する連絡先のメールアドレスを検出し、その連絡先のメールアドレスに、「登校」の情報と、登校した時刻の情報をメールで送信して（ステップＳ７）、ステップＳ１にリターンする。
【００８２】
ステップＳ５で、１行動単位内での最後に検出したＲＦＩＤリーダが校外のＲＦＩＤリーダ１１ａであれば、「下校」と判断し、該当端末ＩＤのステータス記憶部４５の状態として「下校」を登録する（ステップＳ８）。そして、個人情報データベース４３を参照して、該当する端末ＩＤに対応する連絡先のメールアドレスを検出し、その連絡先のメールアドレスに、「下校」の情報と、下校した時刻の情報をメールで送信して（ステップＳ９）、ステップＳ１にリターンする。
【００８３】
ステップＳ４で、１行動単位内で、ＲＦＩＤリーダ１１ａの検出出力とＲＦＩＤリーダ１１ｂの検出出力との双方からＲＦＩＤタグの検出出力が得られていないと判断されたときには、１行動単位内で検出したＲＦＩＤリーダが校外のＲＦＩＤリーダ１１ａであるか、校内のＲＦＩＤリーダ１１ｂあるかを判断する（ステップＳ１０）。
【００８４】
ステップＳ１０で、１行動単位内で検出したＲＦＩＤリーダが校外のＲＦＩＤリーダ１１ａからの情報であり「校外」であると判断された場合には、ステータス記憶部４５を参照して、前回の状態が「登校」であったか、「下校」であったかを判断する（ステップＳ１１）。
ステップＳ１１で、前回の状態が「登校」であった場合には、今回は「下校」であると判断できる。この場合には、ステップＳ８に行き、該当端末ＩＤのステータス記憶部４５の状態として「下校」を登録し、そして、ステップＳ９で、個人情報データベース４３を参照して、該当する端末ＩＤに対応する連絡先のメールアドレスを検出し、その連絡先のメールアドレスに、「下校」の情報と、下校した時刻の情報をメールで送信して、ステップＳ１にリターンする。
【００８５】
一方、ステップＳ１１で、直前の状態が「下校」であった場合には、今回は「登校」か「下校」か判断できない。この場合には、ＧＰＳ携帯電話端末の測位機能を使って、「校内」か「校外」かを検出する（ステップＳ１２）。そして、「校内」か「校外」かを判断し（ステップＳ１３）、校外であれば、ステップＳ８に行き、該当端末ＩＤのステータス記憶部４５の状態として「下校」を登録し、そして、ステップＳ９で、個人情報データベース４３を参照して、該当する端末ＩＤに対応する連絡先のメールアドレスを検出し、その連絡先のメールアドレスに、「下校」の情報と、下校した時刻の情報をメールで送信して、ステップＳ１にリターンする。またステップＳ１３で校内であれば、ステップＳ６に行き、以降ステップＳ６からの処理が実行される。
【００８６】
一方、ステップＳ１０で、１行動単位内で検出したＲＦＩＤリーダからの情報が校内のＲＦＩＤリーダ１１ｂからの情報であり「校内」であると判断された場合には、ステータス記憶部４５を参照して、前回の状態が「登校」であったか、「下校」であったかを判断する（ステップＳ１４）。
ステップＳ１４で、前回の状態が「下校」であった場合には、今回は「登校」であると判断でき、ステップＳ６に行き、該当端末ＩＤのステータス記憶部４５の状態として「登校」を登録し、そして、ステップＳ７で、個人情報データベース４３を参照して、該当する端末ＩＤに対応する連絡先のメールアドレスを検出し、その連絡先のメールアドレスに、「登校」の情報と、登校した時刻の情報をメールで送信して、ステップＳ１にリターンする。
【００８７】
一方、ステップＳ１４で、直前の状態が「登校」であった場合には、今回は「登校」か「下校」か判断できない。この場合には、ＧＰＳ携帯電話端末の測位機能を使って、「校内」か「校外」かを検出する（ステップＳ１２）。そして、「校内」か「校外」かを判断し（ステップＳ１３）、ステップＳ１３で校内であれば、ステップＳ６に行き、該当端末ＩＤのステータス記憶部４５の状態として「登校」を登録し、そして、ステップＳ７で、個人情報データベース４３を参照して、該当する端末ＩＤに対応する連絡先のメールアドレスを検出し、その連絡先のメールアドレスに、「登校」の情報と、登校した時刻の情報をメールで送信する。
一方、ステップＳ１３で、校外であれば、ステップＳ８に行き、以降ステップＳ８からの処理が実行される。
【００８８】
（第２の実施形態）
図１７は、本発明の第２実施形態を示すものである。この実施形態では、下校を契機として、定期的なＧＰＳによる通学路上の学童の位置検出を行い、保護者の携帯電話端末やパーソナルコンピュータに通知する機能を付加している。
【００８９】
本発明の第２の実施携帯のサービスを利用するためには、図１８に示すように、ＧＰＳ検索スケジュールを設定しておく。ＧＰＳ検索スケジュールには、探したい相手と、検索する曜日と、検索時間と、検索間隔と、スケジュール名が設定される。
【００９０】
検索時間とは、検索が開始されてから、ＧＰＳの検索を続ける時間である。この時間が経過した後は、検索を中止する。
【００９１】
検索間隔とは、ＧＰＳの検索を実行する実行間隔の時間である。例えば１０分と設定されると、１０分毎に検索を実行する。例えば、検索時間が３０分であり、検索間隔が１０分の場合、下校時刻が１６：００なら、１６：１０、１６：２０、１６：３０にＧＰＳでの検索が実行され、その後は、検索されない。
【００９２】
図１７において、情報管理サーバ１４は、学童が下校したことを検出すると（ステップＳ１０１）、個人情報データベース４３を参照して、学童が持っている携帯電話の番号を取得し、図１８のようなＧＰＳ検索スケジュールがあらかじめ保護者によって情報管理サーバ１４へ登録されているかどうかを調べる（ステップＳ１０２）。学童が下校したことを検出したことは、図１６のステップＳ８で検出される。
【００９３】
登録されている場合には、検索曜日に当たるかどうかを判断し（ステップＳ１０３）、検索曜日なら、検索時間、検索間隔を調べ、何時何分にＧＰＳ検索を行うかスケジューリングする（ステップＳ１０４）。
【００９４】
検索時刻になったかどうかを判断し（ステップＳ１０５）、検索時刻になったら、ＧＰＳサーバ１５へ該当ＧＰＳ携帯電話端末１２の位置情報を要求する（ステップＳ１０６）。
【００９５】
ＧＰＳサーバ１５は、学童のＧＰＳ携帯電話端末１２へ位置情報を要求し、ＧＰＳ携帯電話端末１２はＧＰＳによって測位を行い、ＧＰＳサーバ１５へ位置情報を送信する。ＧＰＳサーバ１５は、位置検索結果を情報管理サーバ１４へ通知し、情報管理サーバ１４は、この位置検索結果を受信する（ステップＳ１０７）。
【００９６】
情報管理サーバ１４は、ＧＰＳの位置検索結果を受信したら、その学童の位置情報を保存する（ステップＳ１０８）。そして、個人情報データベース４３を参照して、学童の位置情報をメールで保護者の保護者パソコン１６や保護者携帯電話１７へ通知する（ステップＳ１０９）。
【００９７】
位置情報メールには、学童の現在地を示した地図のＵＲＬ(Uniform Resource Locator)のリンクが含まれており、ＵＲＬのリンクをボタンで押したり、マウスでクリックしたりすることにより、携帯電話やパソコンのブラウザに学童の現在地を示した地図が表示される。地図情報は、地図サーバ４８が提供する。なお、外部の地図サーバにより地図情報を提供しても良い。
【００９８】
そして、検索終了かどうかを判断し（ステップＳ１１０）、検索終了でなければ、ステップＳ１０５にリターンし、次の検索時刻になったかどうかを判断する。次の検索時刻になったら、上述の処理を繰り返す。以後、同様の処理をスケジューリングされた検索が完了するまで繰り返す。
【００９９】
このように、この実施形態では、下校を契機として、定期的なＧＰＳによる通学路上の学童の位置検出を行い、学童の位置を追跡することができる。これにより、学童の安全な帰宅をサポートできる。
【０１００】
なお、上述の実施例では、施設として学校を取り上げ、被管理者を学童とし、被管理者が施設に入った状態（登校）か被管理者が施設から出た状態（下校）であるかを判定しているが、これに限定されるものではない。本発明は、屋外の工事エリアでの被管理者としての人の出入りを検出する場合にも、同様に適用することができる。
【０１０１】
また、上述の判断は、一例であり、本発明は、これに限定されるものではない。例えば、上述の例では、校外のＲＦＩＤリーダ１１ａと校内のＲＦＩＤリーダ１１ｂとの双方でＲＦＩＤタグが検出された場合、学童の１行動単位のなかで、最後に検出するＲＦＩＤリーダが校外の場合、当該学童は「下校」であり、最後に検出するＲＦＩＤリーダが校内の場合、当該学童は「登校」であるとしているが、校外のＲＦＩＤリーダ１１ａと校内のＲＦＩＤリーダ１１ｂとの双方でＲＦＩＤタグが検出された場合、学童の１行動単位のなかで、最初に検出するＲＦＩＤリーダが校内で最後に検出するＲＦＩＤリーダが校外の場合に当該学童は「下校」であり、最初に検出するＲＦＩＤリーダが校外で最後に検出するＲＦＩＤリーダが校内の場合に当該学童は「登校」であるとしても良い。
【０１０２】
また、上述の例では、校外のＲＦＩＤリーダ１１ａと校内のＲＦＩＤリーダ１１ｂとの双方でＲＦＩＤタグが検出されないときには、つまり校外のＲＦＩＤリーダ１１ａまたは校内のＲＦＩＤリーダ１１ｂの一方のＲＦＩＤリーダのみでＲＦＩＤタグが検出された場合には、前回の状態を参照して、ＧＰＳ携帯電話端末１２の測位機能を用いるかどうかを判断しているが、校外のＲＦＩＤリーダ１１ａと校内のＲＦＩＤリーダ１１ｂとの双方でＲＦＩＤタグが検出されなければ、前回の状態にかかわらず、ＧＰＳ携帯電話端末１２の測位機能を用いて、校内か校外かを判定するようにしても良い。
【０１０３】
なお、実施の形態の説明においては、情報管理サーバ１４が、メールサーバ４７と、地図サーバ４８と、ウェブサーバ４９とを含んでいるとして説明したが、これに限られるものではなく、情報管理サーバ１４と、メールサーバ４７、地図サーバ４８またはウェブサーバ４９は、それぞれ、独立したサーバ装置とすることも可能である。
【０１０４】
なお、端末ＩＤ記憶部２３、リーダＩＤ記憶部３５、ログ記憶部４４またはステータス記憶部４５は、それぞれ、ハードディスク装置や光磁気ディスク装置、フラッシュメモリ等の不揮発性のメモリや、ＣＤ−ＲＯＭ等の読み出しのみが可能な記憶媒体、ＲＡＭ（Ｒａｎｄｏｍ  Ａｃｃｅｓｓ  Ｍｅｍｏｒｙ）のような揮発性のメモリ、あるいはこれらの組み合わせにより構成されるものとする。
【０１０５】
なお、この情報管理サーバ１４は専用のハードウェアにより実現されるものであってもよく、また、この情報管理サーバ１４はメモリおよびＣＰＵ（中央演算装置）により構成され、情報管理サーバ１４の機能を実現するためのプログラムをメモリにロードして実行することによりその機能を実現させるものであってもよい。
【０１０６】
また、図１における情報管理サーバ１４の機能を実現するためのプログラムをコンピュータ読み取り可能な記録媒体に記録して、この記録媒体に記録されたプログラムをコンピュータシステムに読み込ませ、実行することにより情報管理サーバ１４の機能を行ってもよい。なお、ここでいう「コンピュータシステム」とは、ＯＳや周辺機器等のハードウェアを含むものとする。
【０１０７】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【０１０８】
本発明は、上述した実施形態に限定されるものではなく、本発明の要旨を逸脱しない範囲内で様々な変形や応用が可能である。
【産業上の利用可能性】
【０１０９】
本発明は、学童の登校や下校を管理して、学童の安全な登下校をサポートするシステムや、工場や工事現場で働く人の出勤を管理するシステム等に適用することができる。
【図面の簡単な説明】
【０１１０】
【図１】本発明の第１の実施形態のシステムの概要の説明図である。
【図２】本発明の第１の実施形態のシステムにおけるＲＦＩＤタグの一例のブロック図である。
【図３】本発明の第１の実施形態のシステムにおけるＲＦＩＤリーダの一例のブロック図である。
【図４】本発明の第１の実施形態のシステムにおける情報管理サーバの一例のブロック図である。
【図５】個人情報データベースの一例の説明図である。
【図６】ログ記憶部の一例の説明図である。
【図７】ステータス記憶部の一例の説明図である。
【図８】本発明の第１の実施形態のシステムの動作の概要を示すシーケンス図である。
【図９】本発明の第１の実施形態のシステムの動作の概要を示すシーケンス図である。
【図１０】本発明の第１の実施形態のシステムにおける登下校の判定の説明図である。
【図１１】本発明の第１の実施形態のシステムにおける登下校の判定の説明図である。
【図１２】行動単位の説明図である。
【図１３】本発明の第１の実施形態のシステムにおける読み落としがあった場合の登下校の判定の説明図である。
【図１４】本発明の第１の実施形態のシステムにおける読み落としがあった場合の登下校の判定の説明図である。
【図１５】ＧＰＳ携帯電話端末による校内と校外の判定の説明図である。
【図１６】本発明の第１の実施形態のシステムにおける情報管理サーバの動作説明に用いるフローチャートである。
【図１７】本発明の第２の実施形態のシステムにおける情報管理サーバの動作説明に用いるフローチャートである。
【図１８】本発明の第２の実施形態におけるスケジュール設定の説明図である。
【符号の説明】
【０１１１】
１  学校
１０  学童
１１ａ，１１ｂ  ＲＦＩＤリーダ
１２  ＧＰＳ携帯電話端末
１３  ＲＦＩＤタグ
１４  情報管理サーバ
１５  ＧＰＳサーバ
１６  保護者パソコン
１７  保護者携帯電話
２０  ネットワーク
４３  個人情報データベース
４４  ログ記憶部
４５  ステータス記憶部
４６  制御部
４７  メールサーバ
４８  地図サーバ
４９  ウェブサーバ
【図１】
2008146547.tif 000003
【図２】
2008146547.tif 000004
【図３】
2008146547.tif 000005
【図４】
2008146547.tif 000006
【図５】
2008146547.tif 000007
【図６】
2008146547.tif 000008
【図７】
2008146547.tif 000009
【図８】
2008146547.tif 000010
【図９】
2008146547.tif 000011
【図１０】
2008146547.tif 000012
【図１１】
2008146547.tif 000013
【図１２】
2008146547.tif 000014
【図１３】
2008146547.tif 000015
【図１４】
2008146547.tif 000016
【図１５】
2008146547.tif 000017
【図１６】
2008146547.tif 000018
【図１７】
2008146547.tif 000019
【図１８】
2008146547.tif 000020